(57)【要約】【課題】  本発明は，瞬停時の保持時間が十分に長い電源停電検出回路を提供することを目的とする。【解決手段】  本発明の電源停電検出回路１００は，検出部１００ａと，制御部１００ｂとを含む。検出部１００ａは，電源からの電力の電圧値が予め設定された最低電圧値になったときに当該電源がオフになったと検出する。制御部１００ｂは，検出部１００ａが電源のオフを検出したことをトリガとして，コンバータの動作を停止させるための制御信号の送出を開始する。【選択図】図４
2011083102.tif 000002
【特許請求の範囲】
【請求項１】
電源の停電を検出するための電源停電検出回路であって，
前記電源停電回路は，
所定電圧の電力を供給するための電源と，前記電源からの電力の電圧値を当該電圧値よりも低い電圧値に変換するためのコンバータとの間に接続されており，
前記電源の停電を検出する検出部と，
前記コンバータの動作を停止させるための制御信号を送出する制御部と，
を含み，
前記検出部は，
前記電源からの電力の電圧値が予め設定された最低電圧値になったときに当該電源がオフになったと検出し，
前記制御部は，
前記検出部が前記電源のオフを検出したことをトリガとして前記制御信号の送出を開始する，
電源停電検出回路。
【請求項２】
前記電源は，複数のコンバータと接続されており，
前記複数のコンバータは，瞬停時の保持時間が定められていないコンバータを含み，
前記制御部は，
前記複数のコンバータのうち，前記瞬停時の保持時間が定められていないコンバータの動作を停止させるための制御信号を送出する，
請求項１に記載の電源停電検出回路。
【請求項３】
前記電源と前記コンバータとの間の接点には，コンデンサが接続されていない，
請求項１又は請求項２に記載の電源停電検出回路。
【請求項４】
前記電源と前記コンバータとの間の接点には，前記コンデンサとしての平滑コンデンサが接続されていない，
請求項３に記載の電源停電検出回路。
【請求項５】
前記検出部は，
前記電源と前記コンバータとの間の接点に接続された定電圧ダイオードを含む，
請求項１〜４のいずれか１項に記載の電源停電検出回路。
【請求項６】
前記制御部は，
前記検出部と前記コンバータとの間に設けられたトランジスタを含む，
請求項１〜５のいずれか１項に記載の電源停電検出回路。
【請求項７】
前記電源は，交流電源であり，
前記最低電圧値は，
前記交流電源から供給される電力の電圧値が最低値と最大値との間で変動するときの最低値又はそれよりも低い値に設定されている，
請求項１〜６のいずれか１項に記載の電源停電検出回路。
【発明の詳細な説明】
【技術分野】
【０００１】
本発明は，電源の停電を検出する電源停電検出回路に関する。
【背景技術】
【０００２】
電子機器では，電源から供給される電力が，例えば，電子機器内のマクロコンピュータなどの負荷によって利用される。ここで，電源に停電が発生すると，負荷も強制的にシャットダウンされることとなる。そして，負荷が強制的にシャットダウンされると，保存すべきデータが保存されなかったり，起動中であったプログラムが正常に起動できなくなったりする不具合が発生する。そこで，電子機器は，停電が発生した場合に，負荷に対してリセット信号を送出して，回路内に残存している電力を利用して負荷を正常にシャットダウンさせるように構成されている。
【０００３】
ここで，停電には，瞬間的な停電（瞬停又は瞬断）も含まれる。ただし，瞬停では，回路内に残存している電力が０Ｖにまで低下することはない。この場合，負荷をリセット信号で制御せずとも，回路内に残存している電力で継続的にその動作を行うことが可能である。ここで，電源がオフになってから，回路内に残存している電力で負荷の動作を継続することができる時間を保持時間ともいう。
【０００４】
ところで，電子機器の一例として，パチンコ機を挙げることができる。パチンコ機では，１００Ｖの商用電源が用いられず，２４Ｖの交流電源が用いられることが多い（例えば，特許文献１参照。）。しかし，２４Ｖの交流電源では，瞬停時に回路内に残存している電力はわずかである。一方で，パチンコ機では，負荷として採用されるデバイスが多数であるため，消費電力が多い。そのため，パチンコ機では，瞬停時の保持時間を十分に確保することは困難である。なお，この問題は，パチンコ機に限られることはなく，入力電圧の低い電子機器において一般的に共通する問題である。
【０００５】
そして，パチンコ機では，瞬停時の保持時間が規定されている（時間規定）。パチンコ機では，交流電源２４Ｖを入力電圧とした場合，出力電圧は，１８Ｖ，１２Ｖ，及び５Ｖの３種類に制限されている。出力電圧が５Ｖの場合，瞬停時の保持時間（つまり，５Ｖ用の負荷がオフになるまでの時間）は，４０ｍｓ以上に定められており，同１２Ｖの場合，６ｍｓ以上に定められている。ただし，１８Ｖの場合の瞬停時の保持時間については定められていない。
【０００６】
さらに，パチンコ機では，電源に停電が発生した場合に負荷に対して送出するための信号（電源断検出信号）として，リセット信号が定められている。リセット信号は，電源が停電した場合にローレベルとなり，電源に停電が発生していない場合（復旧した場合を含む）にハイレベルとなる。そして，このリセット信号についても保持時間が定められており，交流電源（ＡＣ）２４Ｖがオフしてからの保持時間（つまり，リセット信号がローレベルになるまでの時間）は，４０ｍｓ以上である。
【０００７】
ここで，交流電源２４Ｖの電子機器において，出力電圧１２Ｖの電力を利用する負荷が消費する電流が４Ａであり（以下，１２Ｖ／４Ａと略す），同５Ｖ／４Ａ，同１８Ｖ／６．４Ａである場合において，電子機器内の回路には，十分に容量の大きいコンデンサ（容量の一例として，１８０００μＦ）が含まれている場合を考えることとする。この場合において，出力電圧１８Ｖを利用する負荷が消費する電流６．４Ａを考慮しなければ，電圧５Ｖのときの保持時間は，約４４ｍｓであるとともに，出力電圧１２Ｖのときの保持時間は，約９ｍｓである。この場合，上記時間規定を満足する。これは，コンデンサに蓄電された電力によるものと，コンデンサ以外の部分の回路に残存していた電力によって達成される。
【０００８】
しかし，コンデンサは容量が多いほど，そのコストは増大する。したがって，好ましくは，コンデンサの容量は１０μＦ，より好ましくは１μＦである。しかしながら，上述したように，コンデンサの容量が十分に大きい場合にのみ上記時間規定が満足されることを鑑みても，好ましい容量（つまり，少ない容量の）のコンデンサを採用することはできない。実際に，このように容量の少ないコンデンサを用いた場合，コンデンサに蓄電された電力が負荷に供給される前に（つまり，コンデンサの遅延効果のために），回路内に残存している電力が負荷によって完全に消費される。このことは，コンデンサの遅延効果による電力供給速度よりも，電力消費が早いことを意味している。そして，その結果，上記時間規定を満足することは到底できなくなる。特に，上述した説明では，出力電圧１８Ｖの電力を利用する負荷が消費する電流を考慮していないので，これを考慮した場合には上記問題はより顕著となる。同様に，リセット信号の保持時間も満足することができない。
【０００９】
さらには，コンデンサ側と負荷側との間にトランジスタが設けられている場合において，上述したようなコンデンサからの電力供給速度よりも負荷による電力消費が早いという現象が起きると，トランジスタのベースとコレクタの電位に逆転現象が生じ，結果としてトランジスタは，オンとオフとを繰り返す結果となる。
【先行技術文献】
【特許文献】
【００１０】
【特許文献１】特開２００３−３０５１８４号公報（段落０００２，００２０）
【発明の概要】
【発明が解決しようとする課題】
【００１１】
そこで，本発明は，瞬停時の保持時間が十分に長い電源停電検出回路を提供することを第１の目的とする。
【００１２】
また，本発明は，負荷による消費電力が多くても，瞬停時の保持時間を十分に確保することができる電源停電検出回路を提供することを第２の目的とする。
【課題を解決するための手段】
【００１３】
本発明は，基本的には，電源停電検出回路に関する。本発明の電源停電検出回路は，電源の停電を検出するためのものであり，所定電圧の電力を供給するための電源と，電源からの電力の電圧値を当該電圧値よりも低い電圧値に変換するためのコンバータとの間に接続される。
【００１４】
具体的には，本発明の電源停電検出回路は，電源の停電を検出する検出部と，コンバータの動作を停止させるための制御信号を送出する制御部とを含んでいる。
【００１５】
そして，検出部は，電源からの電力の電圧値が予め設定された最低電圧値になったときに当該電源がオフになったと検出する。続いて，制御部は，検出部が電源のオフを検出したことをトリガとして上記制御信号の送出を開始する。
【００１６】
これにより，電源停電検出回路は，停電時に，コンバータ及びそれに接続されている回路（負荷）の動作を停止することができる。ただし，最低電圧値が設定されているため，停電時であっても，回路内に十分な量の電力を残存させることができる。結果として，十分な保持時間を確保することができる。また，この電源停電検出回路によれば，平滑化に必要な時間（具体的には，コンデンサによる遅延に必要な時間）を確保する必要がない。
【００１７】
また，本発明の好ましい側面では，電源が，複数のコンバータと接続されている。この場合，上記制御部は，複数のコンバータのうち，瞬停時の保持時間が定められていないコンバータの動作を停止させるための制御信号を送出するように構成されている。このように，コンバータ及びそれに接続されている負荷の電力消費量が多い場合であっても，本発明の好ましい側面によれば，十分な保持時間を確保することができる。
【００１８】
また，本発明の別の好ましい側面では，電源とコンバータとの間の接点に，コンデンサが接続されていない。この側面においても，コンデンサを設ける必要がないので，低コストを実現することができる。また，コンデンサに起因する発熱を削減することもできる。
【００１９】
さらに，本発明のより好ましい側面では，電源と前記コンバータとの間の接点に，上記コンデンサとしての平滑コンデンサが接続されていない。このように平滑コンデンサを設ける必要がないので，低コストを実現することができる。また，コンデンサに起因する発熱を削減することもできる。
【００２０】
また，本発明の好ましい側面では，上記検出部が，電源とコンバータとの間の接点に接続された定電圧ダイオードを含んでいる。これにより，最低電圧値を容易に設定することができる。
【００２１】
また，本発明の好ましい側面では，上記制御部が，検出部とコンバータとの間に設けられたトランジスタを含んでいる。そして，この場合，トランジスタとコンバータとの間の接点に，コンデンサが接続されていないことがより好ましい。このようにコンデンサを設ける必要がないので，低コストを実現することができる。また，コンデンサに起因する発熱を削減することもできる。
【００２２】
また，本発明の好ましい側面では，電源が交流電源である。この場合，上記最低電圧値は，交流電源から供給される電力の電圧値が最低値と最大値との間で変動するときの最低値又はそれよりも低い値に設定されている。このような設定方法によれば，十分な保持時間を確保することが可能な最低電圧値を確実に設定することができる。
【発明の効果】
【００２３】
本発明によれば，瞬停時の保持時間が十分に長い電源停電検出回路を提供することができる。また，本発明は，負荷による消費電力が多くても，瞬停時の保持時間を十分に確保することができる電源停電検出回路を提供することができる。
【図面の簡単な説明】
【００２４】
【図１】図１は，本発明の電源停電検出回路を含む電源回路の構成を概略的に示すブロック図である。
【図２】図２は，図１における第３コンバータの構成を詳細に示すブロック図である。
【図３】図３は，図１における第１停電検出回路の構成の一例を詳細に示す回路図である。
【図４】図４は，図１における第２停電検出回路の構成の一例を詳細に示す回路図である。
【図５】図５は，図４の第２停電検出回路の検出電圧の設定方法を説明するために用いられる図である。
【図６】図６は，図４の第２停電検出回路におけるリセット信号の信号レベルと，交流電源１０から供給される電力の電圧値との関係を説明するための図である。
【図７】図７は，図４の第２停電検出回路の構成を第１停電検出回路と同様に構成した場合（第１参考例）の電気回路の一例を示す図である。
【図８】図８は，図７に示す電気回路におけるリセット信号の信号レベルと，交流電源から供給される電力の電圧値との関係を説明するための図である。
【図９】図９は，図４の第２停電検出回路の構成を第１停電検出回路と同様に構成した場合（第２参考例）の電気回路の一例を示す図である。
【図１０】図１０は，図９に示す電気回路におけるリセット信号の信号レベルと，交流電源から供給される電力の電圧値との関係を説明するための図である。
【発明を実施するための形態】
【００２５】
以下，図面を用いて本発明を実施するための形態を説明する。しかしながら，以下説明する形態はある例であって，当業者にとって自明な範囲で適宜修正することができる。
【００２６】
本発明の電源停電検出回路は，例えばパチンコ機に適用される。ここで，パチンコ機では，当該パチンコ機に用いる電源の入出力が以下のように規定されている。
【００２７】
電源の入力電圧は，交流２４Ｖに規定されている。また，電源の出力電圧は，１８Ｖ，１２Ｖ，及び５Ｖの３種類が規定されている。また，電源が停電したときに，その停電を検出したことを示す信号は，リセット信号（ＲＥＳＥＴ）とすることが規定されている。
【００２８】
また，電源が瞬停したときの保持時間は，出力電圧が５Ｖである場合，電源がオフになってから出力電圧５Ｖがオフになるまでの時間として規定されており，４０ｍｓ以上である。同様に，出力電圧が１２Ｖである場合における瞬停時の保持時間は，６ｍｓ以上と規定されている。また，リセット信号がオフ（ローレベル）になるまでの時間は，４０ｍｓ以上に規定されている。
【００２９】
図１は，本発明の電源停電検出回路を含む電源回路の構成を概略的に示すブロック図である。図２は，図１における第３コンバータの構成を詳細に示すブロック図である。
【００３０】
図１に示す電源回路１は，交流電源１０と，交流電源１０に直列に接続された整流回路２０と，整流回路２０と直列に接続された複数のコンバータ４０，５０，６０とを含んでいる。交流電源１０は，電力を供給するためのものであり，電力の電圧値は，本態様では２４Ｖである。
【００３１】
整流回路２０は，交流電源１０からの電流を直流電流に変換する。この直流電流の電圧は，グランドレベルに対して例えば３２Ｖ（以下，「入力電圧Ｖin」又は「ＧＤＣ３２Ｖ」ともいう）である。入力電圧Ｖinは，正確には，下記式（１）に従う。
Ｖin＝交流電源１０の電圧（２４Ｖ）×√２−ＶＦ              （１）
【００３２】
ここで，ＶＦは，交流電源１０からの電流が通るダイオード（図１には図示せず）の順電圧である。例えばダイオードの順電圧ＶＦが２．２Ｖである場合，入力電圧Ｖinは，３１．７４Ｖである。
【００３３】
第１コンバータ４０は，電源回路１からの入力電圧を，当該電源回路１の３種類の出力電圧（５Ｖ，１２Ｖ，１８Ｖ）のうち最も小さい電圧値（５Ｖ）に変換して出力するためのものである。第２コンバータ５０は，電源回路１からの入力電圧を，当該電源回路１の複数の出力電圧のうち２番目に小さい電圧値（１２Ｖ）に変換して出力するためのものである。第３コンバータ６０は，電源回路１からの入力電圧を，当該電源回路１の複数の出力電圧のうち最も大きい電圧値（１８Ｖ）に変換して出力するためのものである。第１〜第３コンバータ４０，５０，６０の出力は，それぞれ，対応する電圧値の電力で動作する第１〜第３負荷（Ｚ１〜Ｚ３）４０ａ，５０ａ，６０ａに接続されている。例えば，第１〜第３負荷は，それぞれ，４Ａ，４Ａ，６．４Ａの電流の電力を消費する。
【００３４】
また，電源回路１は，さらに，入力コンデンサ７０を含み，この入力コンデンサ７０は，整流回路２０と，複数のコンバータ４０，５０，６０の間の接点２１に設けられている。例えば，入力コンデンサ７０の容量Ｃinは，１８０００μＦであり，静電容量許容差ＣＴは，０．８である。入力コンデンサ７０は，整流回路２０から供給された電力を一時的に蓄積するとともに，その電流の平滑化を行うためのものである。これにより，安定した電力を供給することができる。
【００３５】
電源回路１は，さらに，第１停電検出回路９０と，第２停電検出回路１００とを含んでいる。第１停電検出回路９０は，整流回路２０と第３コンバータ６０との間，具体的には，接点２１と第３コンバータ６０との間に設けられている。第２停電検出回路１００は，交流電源１０と，第３コンバータ６０との間，具体的には，接点１１と第３コンバータ６０との間に設けられている。なお，接点１１は，交流電源１０と整流回路２０との間に設けられている。
【００３６】
第１停電検出回路９０は，入力コンデンサ７０によって平滑化された電流の電圧値が所定の電圧値以下になったときに，第３のコンバータ６０を停止させるための停止信号Ａ（ＤＣ１８ＶＯＦＦ）を送出するように構成されている（図２参照）。停止信号Ａ（ＤＣ１８ＶＯＦＦ）は，その信号レベルがハイレベルにあるときに第３コンバータ６０の動作を停止させるためのものである。また，第１停電検出回路９０は，停止信号Ａと同時に，リセット信号をローレベルにして，そのリセット信号（ＲＥＳＥＴ）を，電源回路１に接続されているパチンコ機に送出するように構成されている（図１参照）。
【００３７】
第２停電検出回路１００は，交流電源１０から出力された電力の電圧値が所定の電圧値以下になったときに，第３のコンバータ６０を停止させるための停止信号Ｂ（ＤＣ１８ＶＯＦＦ）を送出するように送出するように構成されている。停止信号Ｂ（ＤＣ１８ＶＯＦＦ）は，その信号レベルがハイレベルにあるときに第３コンバータ６０の動作を停止させるためのものである。第２停電検出回路１００の構成の一例は，図４を用いて後述する。
【００３８】
第３コンバータ６０は，図２にその構成例を示すように，停止信号Ａ，Ｂ（ＤＣ１８ＶＯＦＦ）の信号レベルに応じて動作するトランジスタ６１を含む。そして，第３コンバータ６０は，トランジスタ６１がオフであるときに（つまり，第１停電検出回路９０の停止信号Ａ（ＤＣ１８ＶＯＦＦ）及び第２停電検出回路１００の停止信号Ｂ（ＤＣ１８ＶＯＦＦ）の双方が出力されている間），入力電圧ＧＤＣ３２Ｖを１８Ｖに変換（コンバート）する。一方，トランジスタ６１がオンであるときに（つまり，第１停電検出回路９０の停止信号Ａ（ＤＣ１８ＶＯＦＦ）及び第２停電検出回路１００の停止信号Ｂ（ＤＣ１８ＶＯＦＦ）の双方又は一方がハイレベルの間），入力電圧ＧＤＣ３２Ｖを１８Ｖに変換する動作を停止する。
【００３９】
図３は，図１における第１停電検出回路９０の構成の一例を詳細に示す回路図である。
【００４０】
図３に示すように，第１停電検出回路９０は，一端（入力側端子）から，入力電圧ＧＤＣ３２Ｖの電力が供給され，他端（出力側端子）から，第３のコンバータ６０を停止させるための停止信号Ａ（ＤＣ１８ＶＯＦＦ）を送出するように構成されている。具体的には，第１停電検出回路９０は，定電圧ダイオードの一例であるツェナーダイオード９１と，分圧抵抗９２，９３と，平滑コンデンサ９４と，トランジスタ９５とを含む。ツェナーダイオード９１と，分圧抵抗９２と，トランジスタ９５は，上記一端から他端までの間においてその順で直列に接続されている。分圧抵抗９３は，分圧抵抗９２とアースとの間で直列に接続されている。平滑コンデンサ９４は，分圧抵抗９２及び分圧抵抗９３の間の接点９２ａと，トランジスタ９５との間の接点９２ｂに接続されている。
【００４１】
ツェナーダイオード９１は，入力電圧ＧＤＣ３２Ｖが所定の検出電圧（例えば１７．４７７Ｖ）以下に低下したこと（つまり，直流電源の電圧低下）を検出するためのものである。分圧抵抗９２，９３は，入力電圧ＧＤＣ３２Ｖの電圧値を所望の電圧値にまで下げるためのものであり，本態様では，分圧抵抗９２としては，その抵抗値が４．７ｋΩのものが用いられており，分圧抵抗９３は，その抵抗値が１０ｋΩのものが用いられている。平滑コンデンサ９４は，入力電圧ＧＤＣ３２Ｖの電力であって，分圧抵抗後の電力を蓄えるとともに，その電力の放出を遅延させるためのものである。
【００４２】
トランジスタ９５は，平滑コンデンサ９４からの出力電力に応じて動作するものである。トランジスタ９５は，具体的には，ツェナーダイオード９１が直流電源の電圧低下を検出している間オフとなり，その結果，コレクタ側に供給されている５Ｖの電力（例えば，第１コンバータ４０からの電力）の一部が別のコンデンサ９６を介して出力側端子に向かって供給されるようになっている。これにより，停止信号Ａ（ＤＣ１８ＶＯＦＦ）がハイレベルとなり，第３コンバータ６０に向かって出力される。このとき，リセット信号も出力される。一方，ツェナーダイオード９１が直流電源の電圧低下を検出していない間トランジスタ９５はオンとなり，その結果，コレクタ側に供給されている電力はエミッタを介して放出される。これにより，ローレベルの停止信号Ａ（ＤＣ１８ＶＯＦＦ）が第３コンバータ６０に向かって出力される。
【００４３】
なお，平滑コンデンサ９４が設けられているため，直流電源の電圧低下が検出されても直ちにトランジスタ９５がオフになるわけではない。つまり，平滑コンデンサ９４の容量に応じてトランジスタのオン／オフの切り替えに遅延が生じるようになっている。同様に，コンデンサ９６が設けられているため，トランジスタ９５がオフとなっても直ちに停止信号Ａ（ＤＣ１８ＶＯＦＦ）がオン（ハイレベル）になるわけではない。つまり，コンデンサ９６の容量に応じてリセット信号の信号レベルの変換に遅延が生じるようになっている。
【００４４】
図４は，図１における第２停電検出回路１００の構成の一例を詳細に示す回路図である。この第２の停電検出回路１００が本発明の電源停電検出回路に該当する。
【００４５】
図４に示すように，第２停電検出回路１００は，一端（２つの交流用入力側端子）から，交流電圧２４Ｖの電力が供給され，他端（出力側端子）から，第３のコンバータ６０を停止させるための停止信号Ｂ（ＤＣ１８ＶＯＦＦ）を送出するように構成されている。具体的には，第２停電検出回路１００は，検出部１００ａと，制御部１００ｂとを含んで構成されている。ここで，検出部１００ａは，交流電源１０の停電（又はその電圧降下）を検出するためのものである。制御部１００ｂは，第３コンバータ６０の動作を停止させるための停止信号Ｂ（ＤＣ１８ＶＯＦＦ）を送出するためのものである。
【００４６】
より具体的には，第２停電検出回路１００は，検出部１００ａとして，分圧抵抗１０２，１０３を含み，制御部１００ｂとして，トランジスタ１０５を含む。さらに，検出部１００ａは，定電圧ダイオードの一例であるツェナーダイオード１０７を含んでいる。
【００４７】
分圧抵抗１０２とトランジスタ１０５は（つまり検出部１００ａと制御部１００ｂは），上記一端から他端までの間においてその順で直列に接続されている。分圧抵抗１０３は，分圧抵抗１０２とアースとの間で直列に接続されている。ツェナーダイオード１０７は，分圧抵抗１０２と分圧抵抗１０３との間の接点１０２ａに接続されている。つまり，分圧抵抗１０３とツェナーダイオード１０７とは，分圧抵抗１０２とアースとの間において並列に接続されている。また，ツェナーダイオード１０７は，その順方向がアースから入力側端子へ向かう方向となるように配置されている。
【００４８】
分圧抵抗１０２，１０３は，交流電源１０から供給された電力の電圧値２４Ｖを所望の電圧値にまで下げるためのものであり，本態様では，分圧抵抗１０２としては，その抵抗値が４．７ｋΩのものが用いられており，分圧抵抗１０３は，その抵抗値が４．７ｋΩのものが用いられている。
【００４９】
ツェナーダイオード１０７は，交流電源１０から供給された電力であって分圧抵抗１０２を介して入力された電力の電圧値が所定の検出電圧（例えば８．６Ｖ）以下に低下したこと（つまり，交流電源の電圧低下）を検出するためのものである。
【００５０】
トランジスタ１０５は，交流電源１０から供給された電力に応じて動作するものである。トランジスタ１０５は，具体的には，ツェナーダイオード１０７が交流電源の電圧低下を検出している間オフとなり，その結果，コレクタ側に供給されている５Ｖの電力（例えば，第１コンバータ４０からの電力）の一部が出力側端子に向かって供給されるようになっている。これにより，ハイレベルの停止信号Ｂ（ＤＣ１８ＶＯＦＦ）が第３コンバータ６０に向かって出力される。一方，ツェナーダイオード１０７が交流電源の電圧低下を検出していない間トランジスタ１０５はオンとなり，その結果，コレクタ側に供給されている電力はエミッタを介して放出される。これにより，ローレベルの停止信号Ｂ（ＤＣ１８ＶＯＦＦ）が第３コンバータ６０に向かって出力される。
【００５１】
なお，本態様に係る第２停電検出回路１００には，第１停電検出回路９０に設けたコンデンサ９４，９６のようなコンデンサを設ける必要はない。これは，第１停電検出回路９０とは異なり，第２停電検出回路１００では，電圧低下の検出の閾値が低く設定されているためであり，遅延させる必要がないためである。また，本態様では，電圧低下の検出の閾値が低く設定されているため，回路内に残留する電力を多くすることができる。そのため，停止信号Ｂ（ＤＣ１８ＶＯＦＦ）の信号レベルをオン（ハイレベル）にするまでの時間が，コンデンサによる遅延を用いた場合に比べて早くても不具合が発生しない。具体的には，負荷が強制的にシャットダウンされるような不具合が発生しない。
【００５２】
続いて，第２停電検出回路の検出電圧の設定方法について説明する。ここで，検出電圧は，交流電源１０から供給された電力の電圧値が低下したときに停電発生と判断する際の電圧値の最大値である。
【００５３】
図５は，図４の第２停電検出回路１００の検出電圧の設定方法を説明するために用いられる図である。図５において，横軸は，時間（時刻）を示しており，縦軸は，電圧値を示している。
【００５４】
第２停電検出回路１００における，入力端子と出力端子の間の構成を，第１停電検出回路９０と同様に構成すると，ツェナーダイオード９１と同様のツェナーダイオードには，図５に示すような電圧波形を示す。図５から分かるように，電圧波形は，最低電圧約８．６Ｖと，最大電圧約２４Ｖとの間で電圧値が変化することを示している。そこで，本態様では，第２停電検出回路１００の検出電圧を，図５に示す電圧波形の最低電圧を採用する。そして，第２停電検出回路１００では，ツェナーダイオード９１と同様のツェナーダイオードを用いることなく，最低電圧が８．６Ｖとなるように回路を構成する。図４に示した例では，最低電圧が８．６Ｖとなるように，ツェナーダイオード１０７として降伏電圧が２．４Ｖのものが使用され，このツェナーダイオード１０７は，抵抗１０３と並列的に配置される。なお，上述した設定方法によって見出された最低電圧が検出電圧として設定可能であれば，第２電圧検出回路の構成は，図４に示した例に限られることはない。
【００５５】
図６は，図４の第２停電検出回路１００におけるリセット信号の信号レベルと，交流電源１０から供給される電力の電圧値との関係を説明するための図である。図６において，横軸は，時間（時刻）を示しており，縦軸は，電圧値を示している。
【００５６】
図６に示す例では，交流電源１０の瞬停（交流電源１０のオフ）が発生してから，リセット信号の信号レベルがオフ（ローレベル）になるまでの時間，つまり，保持時間は，４２ｍｓである。このように，図４に示した第２停電検出回路１００では，保持時間が十分に長い。すなわち，本態様に係る第２停電検出回路１００では，まず，検出部１００ａが，交流電源１０からの電力の電圧値が予め設定された最低電圧値になったときに交流電源１０がオフ（停電）になったことを検出し，そして，検出部１００ａが交流電源１０のオフを検出したことをトリガとして，制御部１００ｂが停止信号Ｂ（ＤＣ１８ＶＯＦＦ）をオンにして送出を開始する。これにより，第３コンバータ６０の動作を停止させることが可能となっている。
【００５７】
次に，参考又は比較のために，第２停電検出回路１００における，入力端子と出力端子の間の構成を，第１停電検出回路９０と同様に構成した場合について説明する。
【００５８】
図７〜図１０は，図４の第２停電検出回路１００の構成を第１停電検出回路９０と同様に構成した場合（第１参考例及び第２参考例）を説明するための図である。なお，図７及び図８は，第１参考例を示しており，図７は，その電気回路を，図８は，検出電圧を１１Ｖとし，平滑コンデンサ９４の容量を１μＦにした場合の保持時間を示している。また，図９及び図１０は，第２参考例を示しており，図９は，その電気回路を，図１０は，検出電圧を１１Ｖとし，平滑コンデンサ９４の容量を１０μＦにした場合の保持時間を示している。また，図８及び図１０において，横軸は，時間（時刻）を示しており，縦軸は，電圧値を示している。
【００５９】
図７に示す回路構成の第１参考例では，図８に示すように，保持時間は，９．８ｍｓであり，これでは，パチンコ機で規定されている保持時間（規定時間）を満足することができない。
【００６０】
また，図９に示す回路構成の第２参考例は，第１参考例との差異は，平滑コンデンサの容量にある。しかし，第２参考例のように，容量が多い平滑コンデンサを用いても，図１０に示すように，保持時間は２１ｍｓであり，保持時間を規定時間よりも長くすることができない。これは，第３コンバータ６０に接続されている負荷は，１８Ｖ用の負荷であるため，電力消費量が多く，その結果，平滑コンデンサを用いて遅延させても，その遅延を待たずに，負荷において電力が完全に消費されてしまったためであると考えられる。すなわち，電力消費量が多い負荷に対しては，コンデンサによる遅延の効果が希薄化されるものと考えられる。また，コンデンサは，その容量が多くなるほど，価格が高い。そのため，容量が多いコンデンサ（例えば容量が１８０００μＦのコンデンサ）を用いることは好ましくない。
【００６１】
これに対して，本態様に係る第２停電検出回路１００では，保持時間が十分に長い。具体的には，接続されている負荷が１８Ｖと消費電力が多くても，第２停電検出回路１００では，パチンコ機で規定されている保持時間（規定時間）を満足することができる程度に保持時間を十分に確保することができる。言い換えると，第２停電検出回路１００を用いることにより，負荷の電力消費量を多くすることも可能である。さらには，本態様に係る第２停電検出回路１００では，平滑コンデンサを用いる必要がないため，低コストで製造することができる。
【００６２】
また，本態様は，負荷の消費電力量が多いほど有効である。そのため，電源回路１に複数種類のコンバータが設けられている場合には，交流電源１０からの電力の電圧値２４Ｖに近い電圧に変換するコンバータ又は最も電圧値が高いコンバータ（図１に示した例では，第３コンバータ６０）に対して，本態様に係る第２停電検出回路１００を適用することが好ましい。なお，他のコンバータ（例えば，第１コンバータ４０や第２コンバータ５０）に対して第２停電検出回路１００を適用してもよいのはいうまでもない。特には，瞬停時の保持時間が定められていないコンバータに対して，第２停電検出回路１００を適用することが好ましい。
【００６３】
なお，上述した態様では，電源の電圧値が２４Ｖである場合について説明した。しかし，上述した説明は，他の電源（例えば商用電源１００Ｖ）についても同様に適用できる。したがって，上述した態様では，パチンコ機に適用される電源回路１について説明したが，上述した電源回路１や第２停電検出回路１００が適用される機器は，パチンコ機に限られることはなく，例えば，ゲーム機や，他の電子機器であってもよいのはいうまでもない。
【００６４】
また，上述した態様に係る第２停電検出回路１００は，さらに，コンデンサ（例えば，平滑コンデンサ９４のようなコンデンサ及び／又はコンデンサ９６のようなコンデンサ）を含んでいてもよい。この場合にも，上述した検出電圧値の設定方法に従って検出電圧値が設定される。また，この場合に用いられるコンデンサの容量は，従来の電源回路に用いられるコンデンサの容量よりも少なくてよく，例えば，１μＦ〜１０μＦである。ただし，コンデンサを設けることでコストが高騰化するとともに，発熱量が多くなるので，低コストや発熱量の削減を実現するためには，コンデンサを設けないことが好ましい。また，上述した態様は，交流電源１０に限って適用されるものではなく，直流電源に対しても適用可能である。
【産業上の利用可能性】
【００６５】
本発明は，電源から供給される電力を負荷が用いるように構成されたあらゆる電子機器に利用できる。
【符号の説明】
【００６６】
１  電源回路
１０  交流電源
１１，２１  接点
２０  整流回路
４０，５０，６０  コンバータ
４０ａ，５０ａ，６０ａ  負荷（Ｚ１〜Ｚ３）
７０  入力コンデンサ
９０  第１停電検出回路
９１  定電圧ダイオード（ツェナーダイオード）
９２，９３  分圧抵抗
９２ａ，９２ｂ  接点
９４  平滑コンデンサ
９５  トランジスタ
９６  コンデンサ
１００  第２停電検出回路
１００ａ  検出部
１００ｂ  制御部
１０２，１０３  分圧抵抗
１０２ａ  接点
１０５  トランジスタ
１０７  定電圧ダイオード（ツェナーダイオード）
【図１】
2011083102.tif 000003
【図２】
2011083102.tif 000004
【図３】
2011083102.tif 000005
【図４】
2011083102.tif 000006
【図５】
2011083102.tif 000007
【図６】
2011083102.tif 000008
【図７】
2011083102.tif 000009
【図８】
2011083102.tif 000010
【図９】
2011083102.tif 000011
【図１０】
2011083102.tif 000012